(57)【特許請求の範囲】
【請求項１】
ナースステーション等に設置されるナースコール親機（１）と、病室または各患者ベットに設置され前記ナースコール親機と呼出・通話を行なうためのナースコール子機（３１）とを備え、
前記ナースコール親機は、前記ナースコール子機への呼出・通話の操作機能を有する操作パネルユニット（２０）と、前記ナースコール子機を選局する機能を有する選局パネルユニット（４０、・・・）と、壁面に固定され前記操作パネルユニットの幅および１つ或いは複数の前記選局パネルユニットの幅を合算した取付幅を有し前記操作パネルユニット及び１つ或いは複数の前記選局パネルユニットを取付固定する１つのシャーシ（５０）とから構成され、
前記シャーシは、前記操作パネルユニットおよび前記選局パネルユニットへの配線・施工等の作業をする際に前記シャーシに前記操作パネルユニット、前記選局パネルユニットを立掛けて行なうための第２の鈎部（５２）を有し、前記操作パネルユニットおよび前記選局パネルユニットの側面には、前記第２の鈎部に引掛かけるための嵌合穴（６３）を設け、
前記操作パネルユニットおよび前記選局パネルユニットの前記嵌合穴に嵌合され固定するための嵌合爪（１２１）を有し前記嵌合穴を被覆する化粧パネル（１２０）が、前記操作パネルユニットおよび前記選局パネルユニットにそれぞれ装着されることを特徴とするナースコール装置。
【請求項２】
前記シャーシは、前記操作パネルユニットおよび前記選局パネルユニットを取付けるための第１の鈎部（５１）を有し、
前記操作パネルユニットおよび前記選局パネルユニットは、前記第１の鈎部に引掛けるための突起（２１）をそれぞれ有することを特徴とする請求項１記載のナースコール装置。
【請求項３】
前記操作パネルユニットおよび前記選局パネルユニットは、前記操作パネルユニットおよび前記選局パネルユニットを前記シャーシに取付ける際に、先に取付けられたパネルユニット（４０ａ）に位置合わせするために仮止めした次のパネルユニット（４０ｂ）の位置を仮止めしたまま変更させるため長円形のネジ止め部（２２）をそれぞれ有することを特徴とする請求項１又は請求項２記載のナースコール装置。
【請求項４】
前記シャーシには前記選局パネルユニットの各々に対応する中継基板（７０）が設けられ、前記中継基板には前記選局パネルユニット間を接続するためのリード線コネクタ（７２）を設けたことを特徴とする請求項１乃至請求項３の何れか１項記載のナースコール装置。
【請求項５】
前記中継基板は、複数個の前記選局パネルユニットのそれぞれに割り当てられるユニット番号を設定するためのユニット番号設定部（７１）を有することを特徴とする請求項４記載のナースコール装置。
【発明の詳細な説明】
【０００１】
【発明の属する技術分野】
本発明はナースコール装置に係わり、特に一つのシャーシに複数のパネルユニットを固定してナースコール親機が構成される構造のナースコール装置に関する。
【０００２】
【従来の技術】
従来、この種のナースコール装置は、図１に示す通り、ナースコール親機１０と、制御機２と、廊下灯３ａ、３ｂ・・・と、ナースコール子機３１ａ、・・・３４ａ、３１ｂ、・・・３４ｂとから構成され、ナースコール親機１０は制御機２を介して複数の廊下灯３ａ、３ｂ・・・に接続され、複数の廊下灯３ａ、３ｂ・・・はそれぞれナースコール子機３１ａ、・・・３４ａ、３１ｂ、・・・３４ｂに接続されている。
【０００３】
ナースコール親機１０は、図７に示すとおり、外部からの結線を目的とする端子台を有するシャーシ８０と、操作機能および機構を有するパネル９０とが、蝶番８１および取付ステー８２によって一体化構成されている。
【０００４】
施工時等には、一体化されたナースコール親機１０を壁面に取付け固定をし、制御機２との結線をするためにパネル９０を蝶番８１を軸に開き、取付ステー８２によって開いた状態を保持させて行う。
【０００５】
また、この他の方式として特開平１１−２９０４０２号公報に示すようなナースコール親機の構造も知られている。
【０００６】
【発明が解決しようとする課題】
しかしながら、図７に示すパネル及びシャーシを一体化としたものでは取付け施工を一体で行うことが要求される。またシャーシ８０とパネル９０が扉方式の開閉構造であるため、パネル９０に剛性を必要とするため重くなる。さらに局数の多い場合は重量が増加し、施工の際にパネル９０を支持するため複数人で行う必要性があるという難点があった。
【０００７】
また、特開平１１−２９０４０２号公報に示すような分割ユニットの構成では、分割されたシャーシを連結部品で連結するための作業が必要となり、作業工数が多くなり連結部品の嵌合ガタが生じやすく、さらに、固定する壁面は平面であるとは限らず、分割されたシャーシを連結した状態では壁面状態による影響を受けやすく、各シャーシ間の隙間が変化し、シャーシにとりつけられるパネル外観の隙間や段差が生じやすいという難点があった。
【０００８】
本発明はこれらの難点を解決するためになされたもので、施工時のパネル支持は小さい力で行うことを可能とし、隙間や段差の少ない安定した外観を得ることができ、また、シャーシ側でユニット番号を設定できるようにして各パネルユニットとしての共通化をはかったナースコール装置を提供することを目的とする。
【０００９】
【課題を解決するための手段】
このような目的を達成するため、本発明のナースコール装置は、ナースステーション等に設置されるナースコール親機と、病室または各患者ベットに設置されナースコール親機と呼出・通話を行なうためのナースコール子機とを備え、ナースコール親機は、ナースコール子機への呼出・通話の操作機能を有する操作パネルユニットと、ナースコール子機を選局する機能を有する選局パネルユニットと、壁面に固定され操作パネルユニットの幅および１つ或いは複数の選局パネルユニットの幅を合算した取付幅を有し操作パネルユニット及び１つ或いは複数の選局パネルユニットを取付固定する１つのシャーシとから構成される。また、シャーシは、操作パネルユニットおよび選局パネルユニットへの配線・施工等の作業をする際にシャーシに操作パネルユニット、選局パネルユニットを立掛けて行なうための第２の鈎部を有し、操作パネルユニットおよび選局パネルユニットの側面には第２の鈎部に引掛かけるための嵌合穴を設ける。更に、操作パネルユニットおよび選局パネルユニットの嵌合穴に嵌合され固定するための嵌合爪を有し嵌合穴を被覆する化粧パネルが、操作パネルユニットおよび選局パネルユニットにそれぞれ装着される。
【００１０】
このシャーシは、操作パネルユニットおよび選局パネルユニットを取付けるための第１の鈎部を有し、操作パネルユニットおよび選局パネルユニットは、第１の鈎部に引掛けるための突起をそれぞれ有する。
【００１１】
また、操作パネルユニットおよび選局パネルユニットは、操作パネルユニットおよび選局パネルユニットをシャーシに取付ける際に、先に取付けられたパネルユニットに位置合わせするために仮止めした次のパネルユニットの位置を仮止めしたまま変更させるため長円形のネジ止め部をそれぞれ有する。
【００１２】
更に、シャーシには選局パネルユニットの各々に対応する中継基板が設けられ、中継基板には選局パネルユニット間を接続するためのリード線コネクタを設けた。
【００１３】
この中継基板は、複数個の選局パネルユニットのそれぞれに割当てられるユニット番号を設定するためのユニット番号設定部を有する。
【００１４】
このようなナースコール装置によれば、施工が容易となり、安定した外観を得ることが可能となり、重量の軽い状態での施工ができるため少人数で施工ができる。また、シャーシ側でユニット番号を設定できるので各パネルユニットとしての共通化がはかられることによってコストが安くなる。
【００１５】
【発明の実態の形態】
以下、本発明の好ましい実施形態例について図面を参照して詳述する。
【００１６】
図１に示すように本発明のナースコール装置は、ナースコール親機１と、制御機２と、廊下灯３ａ、３ｂ・・・と、ナースコール子機３１ａ、・・・３４ａ、３１ｂ、・・・３４ｂとから構成され、ナースコール親機１は制御機２を介して複数の廊下灯３ａ、３ｂ・・・に接続され、複数の廊下灯３ａ、３ｂ・・・はそれぞれナースコール子機３１ａ、・・・３４ａ、３１ｂ、・・・３４ｂに接続されている。
【００１７】
図２に示すように本発明のナースコール装置のナースコール親機１は、１つのシャーシ５０と、操作パネルユニット２０と、複数の選局パネルユニット４０とから構成されている。
【００１８】
図３に示すように、シャーシ５０は、操作パネルユニット２０および選局パネルユニット４０を引掛けて取付けるため第１の鈎部５１を有し、操作パネルユニット２０および選局パネルユニット４０、・・・は、第１の鈎部５１に引掛けて取付けるための突起２１を有している。尚、図２に示すように、一組の第１の鈎部５１、５１の２つの爪の間隔Ａは取付けられるユニットの厚さＢよりも広いものが好適である。また、１つのパネルユニットに対して上下２個の鈎部５１、５１が設けられることが望ましい。
【００１９】
図４に示すように、操作パネルユニット２０または選局パネルユニット４０は、操作パネルユニット２０または選局パネルユニット４０をシャーシ５０に取付ける際に、先に取付けられたパネルユニットに合わせるためにネジ２３で仮止めした次のパネルユニットの位置を仮止めしたまま変更させるための横長長円形（長溝形）のネジ止部２２を備えている。
【００２０】
図５に示すように、操作パネルユニット２０および選局パネルユニット４０の側面部は、シャーシ５０への操作パネルユニット２０および選局パネルユニット４０の取付けまたは取外しを軽微な力で行えるよう、小さい垂直面６１とユニット間が広がる角度のついた傾斜面６２とを有している。
【００２１】
図２に示すように、シャーシ５０の第１の鈎部５１、５１の間に第２の鈎部５２を設け、操作パネルユニット２０および選局パネルユニット４０の側面にはシャーシ５０の第２の鈎部５２に対応した嵌合穴６３、・・・が穿設され、図６に示すように、操作パネルユニット２０および選局パネルユニット４０への配線・施工等の作業をする際に、操作パネルユニット２０、選局パネルユニット４０を立掛けて保持させることができるようにする。
【００２２】
シャーシ５０には、各選局パネルユニット４０のユニット番号を設定するためのユニット番号設定部７１を有する中継基板７０が設けられ、中継基板７０には、選局パネルユニット４０間を接続するためのリード線コネクタ７２が設置されている。ここで中継基板７０は、各選局パネルユニット４０間の電気的接続を容易にするために設けられたものであり、各中継基板７０間の電気的な接続は既にされており、選局パネルユニット４０とシャーシ５０とをリード線、コネクタ７２で接続するのみで配線が完了する。
【００２３】
尚、図２に示すように、施工後の外観を整えるために、操作パネルユニット２０および選局パネルユニット４０の嵌合穴６３に嵌合され固定するための嵌合爪１２１を有し嵌合穴６３を被覆するための化粧パネル１２０が、操作パネルユニット２０および選局パネルユニット４０にそれぞれ装着される。
【００２４】
さらに操作パネルユニット２０は、ナースコール子機３１ａ、・・・３４ａ、３１ｂ、・・・３４ｂ間で呼出・通話を行なうデジタル親機１００を備え、選局パネルユニット４０、・・・は、操作パネルユニット２０とほぼ同様な構成であって、デジタル親機１００の代わりにナースコール子機３１ａ、・・・３４ａ、３１ｂ、・・・３４ｂを選局するための選局部１１０を備えている。
【００２５】
このように構成された本発明によるナースコール装置において、ナースコール親機１を施工する際には、まずシャーシ５０を壁面にネジ止め等で固定する（詳述せず）。
【００２６】
次に、固定されたシャーシ５０に、操作パネルユニット２０または選局パネルユニット４０を取付ける。例えば選局パネルユニット４０を取付ける場合、シャーシ５０の第１の鈎部５１と選局パネルユニット４０の突起２１とをあわせて嵌込む（図３参照）。このとき選局パネルユニット４０に設けられた長円形のネジ止部２２で仮止めをする（図４参照）。ここで位置決めをする場合は、隣接されたパネルユニット４０ａと位置をあわせるために隣接されたパネルユニット４０ａの垂直面６１と位置決めする選局パネルユニット４０（４０ｂ）の垂直面６１とを合わせ仮止めしたネジを螺着する（図５参照）。
【００２７】
また、制御機２との配線または各パネルユニット間の接続を行なうために、配線処理をしやすいようにシャーシ５０に立掛ける。例えば、選局パネルユニット４０を立掛ける場合シャーシ５０の第２の鈎部５２と選局パネルユニット４０の側面に設けられた嵌合穴６３をあわせ引掛ける。これにより立掛けを行なうことができる（図６参照）。この状態においてシャーシ５０に設けられた中継基板７０のディップスイッチなどから構成されるユニット番号設定部７１にて選局パネルユニット４０のユニット番号を設定し、さらにリード線コネクタ７２にリード線を差込んで接続を行なう。制御機２との配線または各パネルユニット間の接続が終了したら立掛けていた選局パネルユニット４０を外し、シャーシ５０に取付けを行なう。
【００２８】
このように施工したナースコール親機１は、制御機２、廊下灯３ａ、３ｂ・・・を介してナースコール子機３１ａ、・・・３４ａ、３１ｂ、・・・３４ｂとの呼出・通話を行なうことができる。
【００２９】
尚、施工後の外観を整えるために、端に設置された操作パネルユニット２０または選局パネルユニット４０の嵌合穴６３を被覆する化粧パネル１２０が、化粧パネル１２０の嵌合爪１２１を嵌合穴６３に嵌合して固定される（図２参照）。
【００３０】
尚、パネルユニットを取付けた後に、左右にパネルユニットが取付けられているパネルユニットを取外し再び取付ける場合であっても、各パネルユニット側面の合わせ面は小さい垂直面６１と、角度のついた傾斜面６２とを有しているので、摩擦力は小さく、軽微な力で嵌め込みが可能であると共に、パネルユニットの外形のバラツキによる影響を受けにくい（図５参照）。
【００３１】
以上、選局パネルユニット４０の施工等を例に本発明によるナースコール親機について説明したが、操作パネルユニット２０についても上記と同様な施工等が行なえる。
【００３２】
【発明の効果】
以上の説明から明らかなように、本発明によるナースコール親機の取付構造によれば、施工が容易となり安定した外観を得ることができる。また、重量の軽い状態での施工となり少人数で施工が可能である。また、シャーシ側でユニット番号を設定できるので各パネルユニットの共通化がはかられることによってコストが安くなる。
【図面の簡単な説明】
【図１】  ナースコール装置の全体構成を示す図。
【図２】  本発明によるナースコール装置のナースコール親機の構成を示す図。
【図３】  本発明によるナースコール装置のパネルユニットの引掛け形態を示す断面図。
【図４】  本発明によるナースコール装置のパネルユニット位置決め形態を示す図。
【図５】  本発明によるナースコール装置のパネルユニット取外し形態を示す図。
【図６】  本発明によるナースコール装置のパネルユニットの仮固定形態を示す図。
【図７】  従来のナースコール親機の構成を示す側面図。
【符号の説明】
１・・・ナースコール親機
２０・・・操作パネルユニット
２１・・・突起
２２・・・長円形のネジ止め部
３１・・・ナースコール子機
４０（４０ａ、４０ｂ）・・・選局パネルユニット
５０・・・シャーシ
５１・・・第１の鈎部
５２・・・第２の鈎部
６１・・・垂直面
６２・・・傾斜面
６３・・・嵌合穴
７０・・・中継基板
７１・・・ユニット番号設定部
７２・・・リード線コネクタ
１２１・・・嵌合爪
１２０・・・化粧パネル
【図１】
0004634631.tif 000002
【図２】
0004634631.tif 000003
【図３】
0004634631.tif 000004
【図４】
0004634631.tif 000005
【図５】
0004634631.tif 000006
【図６】
0004634631.tif 000007
【図７】
0004634631.tif 000008